(57)【要約】【課題】偏光子としても機能するタッチパネルを構成して、液晶表示パネルを薄くできるタッチパネルを得ることを目的としている。【解決手段】本発明のタッチパネルは、透明基板、前記透明基板の表面に形成され、導電膜からなるワイヤ３が所定ピッチで平行配列されてなるワイヤグリッド１１、前記ワイヤグリッド１１上に形成された保護膜を備え、前記ワイヤ３の長手方向と直交する方向に所定幅の範囲にある複数の前記ワイヤ３により検出用ワイヤ群１２を複数構成するタッチスクリーン１と、複数の前記検出用ワイヤ群の両端部と電気的に接続され、複数の前記検出用ワイヤ群１２と指示体との間に形成される静電容量の検出結果に基づいて前記指示体のタッチ位置を算出する検出処理回路１９とを備える。【選択図】図２
2008197757.tif 000002
【特許請求の範囲】
【請求項１】
透明基板、
前記透明基板の表面に形成され、導電膜からなるワイヤが所定ピッチで平行配列されてなるワイヤグリッド偏光子、
前記ワイヤ上に形成された保護膜、を備え、
前記ワイヤの長手方向と直交する方向に所定幅の範囲にある複数の前記ワイヤにより検出用ワイヤ群を複数構成するタッチスクリーンと、
複数の前記検出用ワイヤ群の両端部と電気的に接続され、前記検出用ワイヤ群と指示体との間に形成される静電容量の検出結果に基づいて前記指示体のタッチ位置を算出する検出処理回路と、を備えるタッチパネル。
【請求項２】
前記検出処理回路は、
発振回路と、
複数の前記検出用ワイヤ群の各々と前記発振回路との接続を順次切り替える第１のスイッチ回路と、を備え、
前記発振回路の発振周波数の変化を検出することにより、前記静電容量を検出することを特徴とする請求項１記載のタッチパネル。  
【請求項３】
前記第１のスイッチ回路により選択された前記検出用ワイヤ群は、
前記発振回路の帰還路の一部を構成することを特徴とする請求項２記載のタッチパネル。
【請求項４】
前記発振回路は、
前記第１のスイッチ回路により選択された前記検出用ワイヤ群の一端及び他端と前記発振回路の帰還路の入出力との関係を切り替える第２のスイッチ回路を備え、
前記第２のスイッチ回路を切り替えて検出された前記発振回路の発振周波数の大小関係から、前記検出用ワイヤ群を構成するワイヤの長手方向と略平行方向のタッチ位置を検出することを特徴とする請求項３記載のタッチパネル。
【請求項５】
前記タッチスクリーンの前面に配置された偏光板をさらに備えることを特徴とする請求項１記載のタッチパネル。
【請求項６】
前記ワイヤを形成する導電膜は、光の反射率の低い導電性材料からなることを特徴とする請求項１記載のタッチパネル。
【請求項７】
液晶表示パネルと、
前記液晶表示パネルの前面に粘着される請求項１から６のいずれかに記載のタッチパネルと、を備える液晶表示装置。
【発明の詳細な説明】
【技術分野】
【０００１】
本発明は、タッチパネル及びタッチパネルを備えた液晶表示装置に関するものである。
【背景技術】
【０００２】
指などの指示体によるタッチを検出してその位置座標を特定するタッチパネルは、優れたユーザーインタフェースの手段として注目されており、抵抗膜方式や静電容量方式などの種々の方式を用いたタッチパネルが製品化されている。
【０００３】
静電容量方式の一つとして、タッチセンサが内蔵されるタッチスクリーンの前面側を数ｍｍ厚程度のガラス板等の保護板で覆った場合でもタッチ検出が可能なＰＣＴ（Projected Capacitive Touchscreen）方式がある。この方式は、保護板を前面に配置できるので堅牢性に優れている点と、手袋装着時でもタッチ検出が可能な点と、可動部がないため長寿命である点などの利点を有している。
【０００４】
例えば下記特許文献１記載のＰＣＴ方式を用いたタッチパネルのタッチスクリーンの構成は、静電容量を検出するための検出導体として、薄い誘電膜に形成された第１シリーズの導電材料パターン（導体エレメント）と、絶縁膜を隔て形成された第２シリーズの誘電材料パターンを備えており、導体間には電気的接触はなく複数の交点を形成している。誘電性材料として最適な材料は、例えば銀などの金属材料である。また、表示上その可視性が問題となり、可視性を低くする場合には酸化インジウムが用いられる。また、導電材料パターンに変えて、１０〜２０μｍの細い電線も使用できる。
【０００５】
【特許文献１】特表平９−５１１０８６号公報（７頁１９〜８頁４行、同頁２３行〜９頁６行、図１、図２）
【発明の開示】
【発明が解決しようとする課題】
【０００６】
このようなタッチパネルにあっては、表示装置と組み合わせて使用する場合、タッチスクリーンを液晶表示パネルなどの表示パネルの表示面側に装着して使用することになるので、タッチスクリーンの保持機構が別途必要となり、そのため表示装置全体が厚くなってしまうという問題があった。
【０００７】
また、導電材料パターンや細い電線を用いる場合、たとえパターン幅や線径が小さくても表示装置を組み合わせて使用するときには、外光の反射等により視認されてしまい、表示に影響を与えるという問題点があった。
【０００８】
本発明はこのような問題を解決するためになされたものであり、金属の導電膜からなるワイヤを所定ピッチで平行に配列することにより偏光子としても機能するタッチパネルを構成して、液晶表示パネルを薄くできるタッチパネルを得ることを目的とする。
【０００９】
また、ワイヤが外光を反射することによる表示コントラスト低下を防止するタッチパネルを得ることを目的とする。
【課題を解決するための手段】
【００１０】
本発明のタッチパネルは、透明基板、前記透明基板の表面に形成され、導電膜からなるワイヤが所定ピッチで平行配列されてなるワイヤグリッド偏光子、前記ワイヤ上に形成された保護膜を備え、前記ワイヤの長手方向と直交する方向に所定幅の範囲にある複数の前記ワイヤにより検出用ワイヤ群を複数構成するタッチスクリーンと、複数の前記検出用ワイヤ群の両端部と電気的に接続され、複数の前記検出用ワイヤ群と指示体との間に形成される静電容量の検出結果に基づいて前記指示体のタッチ位置を算出する検出処理回路とを備える。
【発明の効果】
【００１１】
本発明によれば、金属の導電膜からなるワイヤを所定ピッチで平行に配列することによりワイヤグリッド偏光子を形成し、複数のワイヤにより検出用ワイヤ群を複数構成するとともに、複数の検出用ワイヤ群と指示体との間に形成される静電容量の検出結果に基づいて指示体のタッチ位置を算出するよう構成したので、偏光子としても機能するタッチパネルを構成することができる。これにより、液晶表示装置と組み合わせて使用する場合、従来液晶表示装置の液晶表示パネルに必要とされた前面側の偏光板を省くことが可能となる。よって、液晶表示パネル、さらに液晶表示パネルを用いた液晶表示装置を薄くすることができるとともに、製造工程数や部材を減らすことができ、コストを低減することができる。また、タッチスクリーンを液晶表示パネルと貼り付けて一体化することにより、従来必要であったタッチスクリーンの保持機構を無くすことができ、さらに液晶表示装置を薄くすることができる。
【発明を実施するための最良の形態】
【００１２】
［実施の形態１］
図１は本発明のタッチパネルにおけるタッチスクリーン１の構成を示す断面図であり、図２はその平面図である。以下構成について説明する。
【００１３】
タッチスクリーン１は、透明な樹脂製の透明基板（以下ベースフィルム２と記載）と、ベースフィルム２の表面に形成されている金属の導電膜からなるワイヤ３と、さらにワイヤ３上に形成されている樹脂からなる保護膜４とを備える。このワイヤ３は、長手方向と直交する方向に所定ピッチで平行配列してワイヤグリッド１１を形成する。また、ワイヤ３と直交する方向に所定幅の範囲にある複数のワイヤ３により検出用ワイヤ群１２を複数形成する。この検出用ワイヤ群１２の両端部分は接続用配線１３で共通に電気的に接続され、ワイヤ３が使用者の指などの指示体との間に形成される静電容量（キャパシタンス）を検出する。この検出用ワイヤ群１２の本数やピンピッチとスペースは、タッチパネルのタッチ座標の要求分解能から適宜選択することができる。そして、接続用配線１３は引出し用配線１４を中継して端子１５へ電気的に接続されている。
【００１４】
ここで、ワイヤグリッド１１には入射光に対する偏光作用があることが知られており、所定の条件を満足するようにワイヤグリッド１１を形成すれば、ワイヤグリッド１１は偏光作用を有した偏光子となる。すなわち、図３を参照して、ワイヤグリッド１１に自然光を入射させると、ワイヤ３の長手方向とは平行に振動する成分（図３中の１の矢印）を反射し、直交して振動する成分（図３中の２の矢印）を透過する。このように、タッチスクリーン１は、ワイヤ３の長手方向と直交する偏光軸を持った偏光板として機能する。なお、ワイヤグリッド１１を偏光板として機能させるためには、可視光の波長の下限を４００ｎｍと考えると、ワイヤグリッド１１の各ワイヤのピッチはそれよりも小さい必要がある。
【００１５】
次に、図４は本発明のタッチパネルにおける検出回路の全体構成を示したものであり、以下構成について説明する。
【００１６】
タッチスクリーン１の端子１５にＦＰＣ１７（Flexible Printed Circuit）の端子がＡＣＦ（Anisotropic Conductive Film）などを用いることにより実装され、ＦＰＣ１７を介して検出用ワイヤ群１２の両端部とコントローラ基板１８とが電気的に接続されることによりタッチパネルとして機能する。コントローラ基板１８では、検出用ワイヤ群１２と指示体との間に形成される静電容量の検出結果に基づいて、指示体のタッチの検出やその座標の算出の処理を行う検出処理回路１９が搭載されており、検出座標データを外部のコンピュータなどに出力する。
【００１７】
次に、図５は本発明のタッチパネルにおけるタッチ動作検出系の回路構成を示したものであり、以下構成について説明する。
【００１８】
なお、本実施の形態では検出用ワイヤ群１２を例えば８系統（８本）として構成する。検出処理回路１９は、発振回路２１と第１のスイッチ回路（以下アナログ・マルチプレクサ回路２０ａ，２０ｂ）を備えており、各検出用ワイヤ群１２の一端は、８：１に切り替えるアナログ・マルチプレクサ回路２０ａに、また、他端は、８：１に切り替えるアナログ・マルチプレクサ回路２０ｂに接続され、アナログ・マルチプレクサ回路２０ａ，２０ｂは発振回路２１に接続される。ここで、アナログ・マルチプレクサ回路２０ａ，２０ｂは検出制御回路２５からの指示により接続が選択され、検出用ワイヤ群１２と発振回路２１との接続を順次切り替える。発振回路２１は計数回路２３に接続されて、発振出力信号を所定の期間計数して発振周波数が検出される。次に、計数回路２３はタッチ座標算出回路２４に接続され、計数回路２３の周波数検出結果の差分を計算する。また、発振回路２１、計数回路２３、タッチ座標算出回路２４もそれぞれ検出制御回路２５と接続されている。このように、発振回路２１の発振周波数の変化を検出することにより、検出用ワイヤ群１２と指示体との間に形成される静電容量を検出する構成となっており、検出用ワイヤ群１２、アナログ・マルチプレクサ回路２０a，２０ｂ、発振回路２１で検出用の発振回路２２を構成する。
【００１９】
次に、図６は本発明のタッチパネルにおける発振回路２１の回路構成と検出用ワイヤ群１２との接続を示す図であり、以下構成について説明する。
【００２０】
本実施の形態ではオペアンプ回路３０を使用して発振回路２１を構成する。なお、図６ではアナログ・マルチプレクサ２０ａ，２０ｂでいずれかの検出用ワイヤ群１２が選択された状態を示しており、図中でアナログ・マルチプレクサ２０ａ，２０ｂ回路は省略している。オペアンプ回路３０の比反転入力端と基準電圧Ｖｒｅｆとの間には抵抗Ｒａが、また出力端との間にはＲｂがそれぞれ接続される。また、反転入力端と基準電圧Ｖｒｅｆとの間には静電容量Ｃ１が、また出力端との間にはＲ１がそれぞれ接続される。このようにオペアンプ３０を使用して、いわゆる弛張発振回路が構成される。この発振回路２１は正負の出力飽和電圧から抵抗Ｒ１及び容量Ｃ１からなる帰還路３５により充放電が行われることにより発振する。そして出力端子３３から出力信号が出力される。
【００２１】
また、発振回路２１は、２：１に接続を切り替える第２のスイッチ回路（以下アナログ・マルチプレクサ回路３１ａ，３１ｂと記載）を備えており、このアナログ・マルチプレクサ回路３１ａ，３１ｂは、検出用ワイヤ群１２を電気的に接続するための接続端子３１ａおよび接続端子３１ｂと、オペアンプ回路３０の反転入力端および出力端とに接続されている。そして、端子３４から出力される検出制御回路２５の指示によりアナログ・マルチプレクサ回路３１ａ，３１ｂの接続が切り替えられると、接続端子３２ａ，３２ｂとオペアンプ回路３０の反転入力端と出力端との接続が切り替えられる。
【００２２】
このような発振回路２１の接続端子３２ａは、アナログ・マルチプレクサ回路２０ａで接続を選択することにより、タッチスクリーン１の端子を介して、いずれかの検出用ワイヤ群１２の一部が選択されて接続される。発振回路２１の接続端子３２ｂも同様に、アナログ・マルチプレクサ回路２０ｂで接続を選択することにより、いずれかの検出用ワイヤ群１２の他端が選択されて接続される。すなわち、選択された検出用ワイヤ群１２は検出用帰還路３５の一部を構成することにより、これを含んだ検出用発振回路２２が形成されることになる。
【００２３】
このような構成にすることで、使用者の指がタッチスクリーン１にタッチすることにより、検出用ワイヤ群１２に近接して静電容量Ｃｔが発生すると、検出用帰還路３５の伝達特性は変化し、静電容量Ｃｔが発生しないときよりも検出用発振回路２２の発振周波数は低下する。そして、この発振周波数変化の特性をタッチ位置の検出に用いることができる。
【００２４】
ここで、検出用発振回路２２の出力信号の発振周波数は、後段の計数回路２３により所定時間、検出用発振回路２２の出力信号を計数することにより検出用発振回路２２の発振周波数を検出する。
【００２５】
なお、本実施の形態ではワイヤ３や引き出し配線１４、及びその他の回路配線の寄生静電容量やアナログ・マルチプレクサ回路２０ａ，２０ｂの入出力端からみた静電容量は簡単のため省略している。実際には、これらの静電容量を考慮して、抵抗値などの各回路パラメータを選定する必要があるが、本実施の形態の本質に影響を及ぼすものではない。
【００２６】
次に、タッチ座標を検出する動作について説明する。
【００２７】
まず、発振回路２１のアナログ・マルチプレクサ回路３１ａ，３１ｂの接続を図中の１側に切り替え、アナログ・マルチプレクサ回路２０ａ及び２０ｂを切り替えながら、８本の検出用ワイヤ群１２のなかから検出対称となるワイヤ群１２を選択して（例えば、図５中Ｗ１→Ｗ２→・・・→Ｗ７→Ｗ８）、順次発振回路２１と接続を切り替える。このとき、検出用ワイヤ群１２の一端（図中Ｔ１）がオペアンプ回路３０の反転入力端と、また他端（図中Ｔ２）がオペアンプ回路３０の出力端とそれぞれ接続される（この接続関係を以下接続関係１と記載）。
【００２８】
同様に、発振回路２１のアナログ・マルチプレクサ回路３１ａ，３１ｂの接続を図中の２側に切り替え、アナログ・マルチプレクサ回路２０ａ及び２０ｂを切り替えながら、８本の検出用ワイヤ群１２のなかから検出対称となるワイヤ群１２を選択して、順次発振回路２１と接続を切り替える。このとき、検出用ワイヤ群１２の一端（図中Ｔ２）がオペアンプ回路３０の反転入力端と、また他端（図中Ｔ１）がオペアンプ回路３０の出力端とそれぞれ接続される（この接続関係を以下接続関係２と記載）。
【００２９】
このような発振回路２１と接続する検出用ワイヤ群１２の選択動作、及びオペアンプ回路３０の反転入力端及び出力端と検出用ワイヤ群との接続関係１，２の切り替え動作と連動して、計数回路２３は検出用発振回路２２の発振出力信号を所定の期間にわたり計数することによって発振周波数を検出する。そして、その計数値を検出結果としてタッチ座標算出回路２４に送る。
【００３０】
次に、タッチ座標検出回路２４では、計数回路２３から出力された各検出ワイヤ群１２が接続されたときの周波数検出結果を保持しておき、それぞれの検出ワイヤ群１２の接続関係１および２に対して、前回検出された周波数検出結果と今回検出された周波数検出結果との差分を算出する。以上のように図６における検出用発振回路２２の回路構成により各検出用ワイヤ群１２が接続されたときの発振周波数の変化を検出している。
【００３１】
ここで、周波数の変化について説明する。指などの指示体により検出ワイヤ群１２との間に静電容量Ｃｔが発生した場合、選択された検出ワイヤ群１２の抵抗値Ｒｗと静電容量ＣｔのＲＣ時定数に依存して発振回路２１を構成するオペアンプ回路３０の帰還路３５の伝達特性に変化が生じる。このため、発振周波数は低下する。
【００３２】
そして、前回と今回の周波数検出結果の差分が例えば接続関係１及び２の双方ともにある所定値以下となったときに、指示体によるタッチにより形成される静電容量Ｃｔにより発振周波数に低下が生じたとして、選択された検出用ワイヤ群１２の近傍にタッチが発生したと判定する。
【００３３】
以上のようにして、指などの指示体によるタッチにより形成される静電容量を簡単な構成で検出できる。また、その検出結果に基づいて、指示体のタッチの有無に加え、タッチが有る場合にどの検出用ワイヤ群１２の近傍であるか、すなわち検出用ワイヤ群１２の長手方向とは略直交方向（図４中のｘ方向）の概略タッチ位置を判定することが出来る。
【００３４】
さらに、検出用ワイヤ群１２のタッチによる静電容量Ｃｔの形成箇所（図中Ａ部）に応じて、形成箇所Ａとオペアンプ回路３０の反転入力端側および出力端側の抵抗値Ｒｗ１およびＲｗ２が異なることとなる。これは、検出用検出用発振回路２２の発振周波数に影響する帰還路３５の伝達特性が、静電容量Ｃｔの形成箇所により異なることを意味している。
【００３５】
すなわち、上記のようにして近傍でタッチが発生したと判定された検出用ワイヤ群１２を用いて、検出用ワイヤ群１２とオペアンプ回路３０との接続関係１，２において、検出された発振周波数の大小関係をみれば、検出用ワイヤ群１２の略長手方向（図４中のｙ方向）のタッチ位置を判定することができる。
【００３６】
さらに、隣接する検出用ワイヤ群１２の検出結果を補間処理すれば、ワイヤ３の略長手方向と略直交方向のタッチ位置をより正確に算出することができる。
【００３７】
このように、指などの指示体によるタッチで検出用ワイヤ群１２との間に形成された静電容量を発振回路２１の発振周波数変化として検出するため、発振回路２１の後段はデジタル回路で構成することができ、後段にはＡ／Ｄコンバータなどのアナログ回路が不要とできるので、回路構成が簡単になる。また、検出感度を上げるためには、計数回路２３の計数時間を長くすれば良く、Ａ／Ｄコンバータにより感度を上げる場合よりも対応が容易である。
【００３８】
なお、本実施の形態では、検出用ワイヤ群１２が接続されない状態でも抵抗などの素子を接続することで発振回路２１を構成した。これはアナログ・マルチプレクサ回路２０ａ，２０ｂ，３１ａ，３１ｂの切り替えタイミングによっては、いずれの検出用ワイヤ群１２もが接続されない可能性があり、その際に発振周波数が大きくずれてしまい、検出用ワイヤ群１２が再度接続された状態に復帰したときに発振周波数の制定に時間がかかるのを防ぐためである。また、アナログ・マルチプレクサ回路２０ａ，２０ｂにより接続される検出用ワイヤ群１２の切り替えの過渡時に発振周波数ずれが小さく問題とならない場合には、検出用ワイヤ群１２が接続されたときだけ検出用発振回路２２が構成されるようにしても良い。
【００３９】
タッチスクリーン１のワイヤグリッド１１を構成するワイヤ３としては、導電性は良好であるが反射率の高い金属材料（例えばアルミニウム、銀、銅など）からなる場合には、外光（周囲光）の偏光軸と直交する振動成分を反射してしまい、表示コントラストを低下させる可能性がある。よって、反射率の低い酸化クロム等の金属を使用することによって、ワイヤ３による外光の反射を低く抑えることができ、コントラスト低下を防止することができる。
【００４０】
なお、ワイヤグリッド１１の形成方法は、例えば、加熱蒸着にて金属材料をベースフィルム２上に蒸着した後、その上にフォトレジストを形成し、レーザーを用いた二光束干渉露光にてフォトレジスト上に干渉縞パターンを形成する。フォトレジストを現像後、金属膜をエッチングすることで、不要な金属膜を除去してワイヤグリッド１１を得る。
【００４１】
また、本実施の形態では樹脂製のベースフィルム２を用いたが、ガラス基板など他の透明基板を用いても良い。
【００４２】
また、検出用ワイヤ群１２を含む検出用発振回路２２をオペアンプ回路３０により構成したが、インバータ回路などその他の形式のアンプ回路を使用しても同様に構成することが可能である。
【００４３】
以上のように、本実施の形態によれば、偏光子としても機能するタッチスクリーン１及びそれを用いたタッチパネルを構成することができる。これにより、例えば液晶表示装置と組み合わせて使用する場合、従来必要であった液晶表示パネルの前面側の偏光板を省くことが可能となり、液晶表示パネル、さらに、その液晶表示パネルを用いた液晶表示装置を薄くすることができる。さらに、製造工程数や部材を減らしてコストを削減することができる。
【００４４】
また、検出用ワイヤ群を含む検出用発振回路２２の発振周波数を検出して、静電容量を検出するように構成したので、簡単な構成でタッチパネルを実現できる。
【００４５】
さらに、検出用発振回路２２を構成するオペアンプの反転入力端と出力端と検出用ワイヤ群１２の一端および他端との接続関係を切り替えて、そのときの検出用発振回路２２の発振周波数の大小関係により検出用ワイヤ群１２の長手方向に略平行方向のタッチ位置を精度良く検出することができる。
【００４６】
［実施の形態２］
本実施の形態では、実施の形態１におけるタッチスクリーン１を液晶表示パネルに貼り付けることにより一体化した構成の液晶表示装置に関するものである。
【００４７】
図７は実施の形態２による液晶表示装置の断面構成を示す図であり、液晶表示装置は、タッチスクリーン１と液晶表示パネル４０とバックライト４７とからなる。
【００４８】
液晶表示パネル４０は、ガラス基板上にカラーフィルタ、ブラックマトリクス、透明電極、配向膜が形成されたカラーフィルタ基板４２と、ガラス基板上にスイッチング素子であるＴＦＴが形成されたＴＦＴアレイ基板４４と、それらの間に狭持されたＴＮ液晶からなる液晶層４３を含んでいる。ＴＦＴアレイ基板４４の後面側には粘着層４５により偏光板４６が粘着されている。
【００４９】
また、液晶表示パネル４０の背面側には光源であるバックライト４７が配置されており、液晶表示パネル４０の前面には、実施の形態１で説明した偏光機能を有するタッチスクリーン１が粘着層４１によりカラーフィルタ基板４２に粘着されている。
【００５０】
ＴＦＴアレイ基板４４には外部のドライバ回路（図示せず）から、表示する画像に応じた信号が入力され、それに応じて画素毎に形成されたＴＦＴによるスイッチング素子を介して液晶層４３の印加電圧を制御して、その液晶分子配列方向を変化させる。バックライト４７からの入射光は偏光板４６を通過して直線偏光となり、液晶層４３を通過することにより表示する画像信号に応じて振動方向が曲げられてカラーフィルタ基板４２に生成されたカラーフィルタを通過することにより三原色に分離され、偏光機能を有するタッチスクリーン１を通過する。このようにして、画像信号に応じてバックライト４７からの光の透過率を制御することで、液晶表示装置は所望の表示を行う。広く好まれて使用されるノーマリブラック型の場合、後面側の偏光板４６の偏光軸と、偏光子として機能するワイヤグリッド１１の偏光軸を直交させておけばよい。また、タッチスクリーン１を含むタッチパネルは、実施の形態1と同様に、使用者の指などによるタッチを検出してタッチ座標を算出して、その結果を出力する。
【００５１】
なお、ＳＴＮ液晶はどのＴＮ液晶以外の液晶を用いても、本実施の形態と同様に液晶表示装置を構成することが可能である。
【００５２】
以上のように本実施の形態によれば、偏光機能を有するタッチスクリーン１が液晶表パネルの前面側に貼り付けられているので、本来カラーフィルタ基板４２に粘着される偏光板を使用しなくてもよく、液晶表示パネル４０、ひいては液晶表示装置全体を薄くすることができる。
【００５３】
また、タッチスクリーン１を液晶表示パネル４０と貼り付けて一体化して構成したので、従来必要であったタッチスクリーン１の保持機構を無くすことができ、装置全体を薄くすることが可能となる。
【００５４】
さらに、タッチスクリーン１と液晶表示パネル４０とが一体化して構成されるので、タッチスクリーン１と液晶表示パネル４０との間隙にゴミ等が混入することによって生じる表示への悪影響を防止することができる。
【００５５】
［実施の形態３］
実施の形態２において、タッチスクリーン１のワイヤグリッド１１を構成するワイヤ１３が反射率の高い金属材料からなる場合には、外光（周囲光）の偏光軸とは直交する振動成分は反射してしまい、表示コントラストを低下させてしまう。
【００５６】
本実施の形態はこのような外光反射を防止するように構成したものである。
【００５７】
図８は実施の形態３による液晶表示装置の断面構成を示す図である。実施の形態２で説明した液晶表示装置のタッチスクリーン１の前面側に、タッチスクリーン１のワイヤ３による外光反射を防止するため偏光板５０を粘着層５１によりタッチスクリーン１に貼り付けた構成である。偏光板５０の偏光軸が、タッチスクリーン１のワイヤグリッド１１の偏光軸と平行となるように配置される。
【００５８】
実施の形態１で説明したように、ワイヤグリッド１１で構成する偏光子は、その偏光軸と直交方向（ワイヤ３の長手方向）の振動成分を反射する（図９（ａ）中Ｓ波として記載）。この反射光により表示コントラストが低下する。
【００５９】
一方、本実施の形態においては、ワイヤグリッド１１の前面に偏光板５０が配置され、ワイヤグリッド１１と偏光板５０の偏光軸が平行となるようにしているので、図９（ｂ）に示すように、ワイヤグリッド１１で反射されるＳ波成分は偏光板５０を通過しない。このため、ワイヤグリッド１１での外光の反射が起こることがなくなり、表示コントラストの低下を防止することができる。
【図面の簡単な説明】
【００６０】
【図１】本発明の実施の形態１にかかるタッチパネルにおけるタッチスクリーンの構成を示す断面図である。
【図２】本発明の実施の形態１にかかるタッチパネルにおけるタッチスクリーンの構成を示す平面図である。
【図３】本発明の実施の形態１にかかるタッチパネルにおけるワイヤグリッド偏光子に入射する光の状態を示す断面図である。
【図４】本発明の実施の形態１にかかるタッチパネルにおける検出回路の全体構成を示す図である。
【図５】本発明の実施の形態１にかかるタッチパネルにおけるタッチ動作検出系の回路構成を示す図である。
【図６】本発明の実施の形態１にかかるタッチパネルにおける発振回路の回路構成と検出用ワイヤ群との接続を示す図である。
【図７】本発明の実施の形態２にかかる液晶表示装置の断面構成を示す断面図である。
【図８】本発明の実施の形態３にかかる液晶表示装置の断面構成を示す断面図である。
【図９】本発明の実施の形態３による液晶表示装置の外光反射の状態を示す断面図である。
【符号の説明】
【００６１】
１  タッチスクリーン、２  ベースフィルム、３  ワイヤ、４  保護層、１１  ワイヤグリッド、１２  検出用ワイヤ群、１３  接続用配線、１４  引出し用配線、１５，３４  端子、１７  ＦＰＣ、１８  コントローラ基板、１９  検出処理回路、２０ａ，２０ｂ，３０ａ，３０ｂ  アナログ・マルチプレクサ回路、２１  発振回路、２２  検出用発振回路、２３  計数回路、２４  タッチ座標算出回路、２５  検出制御回路、３０  オペアンプ回路、３２ａ，３２ｂ  接続端子、３３  出力端子、３５  帰還路、４０  液晶表示パネル、４１，４５，５１  粘着層、４２  カラーフィルタ基板、４３  液晶層、４４  ＴＦＴアレイ基板、４６，５０  偏光板、４７  バックライト。
【図１】
2008197757.tif 000003
【図２】
2008197757.tif 000004
【図３】
2008197757.tif 000005
【図４】
2008197757.tif 000006
【図５】
2008197757.tif 000007
【図６】
2008197757.tif 000008
【図７】
2008197757.tif 000009
【図８】
2008197757.tif 000010
【図９】
2008197757.tif 000011